(57)【要約】  【課題】  利用者情報の記入を行った利用者に対して、その場で速やかにカードを手渡すことができ、かつ、その際、氏名等を記したカードへのラミネートシールの接着を簡単に行い、ラミネートカードを発行することができるラミネートカードを提供する。  【解決手段】  利用者情報を記入する箇所３１１を有するカード３１０と、カード３１０と略同形のラミネートシール３５０と、ラミネートシール３５０の利用者情報を記入する側３１１への接着部分を覆った剥離紙３４０とを備え、カード３１０に利用者情報を記入した後、剥離紙３４０を剥がしながらラミネートシール３５０を接着するラミネートカード３００を提供する。【選択図】  図３
2006334918.tif 000002
【特許請求の範囲】
【請求項１】
利用者情報を記入する欄を有する申込用紙と、
申込用紙の所定位置に接着された擬似接着シートと、
前記擬似接着シートと擬似接着したラミネートカードとを備えたカード発行用申込用紙であって、
前記申込用紙及び前記ラミネートカードに利用者を特定する識別情報を予め示しておくことを特徴とするカード発行用申込用紙。
【請求項２】
前記識別情報は、数字や文字などを組み合わせた会員番号、あるいはバーコードであることを特徴とする請求項１に記載のカード発行用申込用紙。
【請求項３】
利用者情報を記入する箇所を有するカードと、
前記カードと略同形のラミネートシールと、
前記ラミネートシールの前記利用者情報を記入する側への接着部分を覆った剥離紙とを備え、
前記カードに前記利用者情報を記入した後、前記剥離紙を剥がしながら前記ラミネートシールを接着することを特徴とするラミネートカード。
【請求項４】
前記カードは写真を載置する写真載置部を有することを特徴とする請求項３に記載のラミネートカード。
【発明の詳細な説明】
【技術分野】
【０００１】
本発明は、利用者情報を記入した利用者に対してカードを発行するシステムで使用される申込用紙及びカードに関する。
【背景技術】
【０００２】
従来、公共施設、商業施設、あるいはこれらの店舗など（以下、施設や店舗）では、申込用紙に利用者情報を記入した利用者に対して、当該施設や店舗を利用できるカードを発行するシステムを実施しており、利用者は受け取ったカードを用いて、施設や店舗が提供するサービスを利用している（特許文献１参照）。
【特許文献１】特開平１１−２７２８０７号公報
【０００３】
カード発行までの作業について簡単に説明する。施設や店舗側は、予め利用者情報を記入する欄を有する申込用紙と、会員番号を印字あるいは会員番号がエンコードされたバーコードを印刷したカードを用意している。入会を希望する利用者は、カード発行担当者により渡された申込用紙に利用者本人の氏名、住所、電話番号、E-mailアドレス、生年月日等の必要事項を記入する。
【０００４】
カード発行担当者は申込用紙に記入された利用者情報を端末上で記録するとともに、カードに印字あるいはエンコードされていた会員番号を申込用紙に転記する。これにより、施設や店舗側は、利用者がカードを提示した際に、会員番号を読み取って端末上で検索することにより、利用者を特定することができる。なお、申込用紙は施設や店舗側で管理される。カード発行担当者は、これらの作業を終えた後、利用者の氏名等をカードに記入した上で、カードを発行する。
【発明の開示】
【発明が解決しようとする課題】
【０００５】
しかしながら、上記従来の技術は、利用者情報を記入した利用者に対してカードを発行するまでに、カード発行担当者は、端末上への利用者情報の記録、及びカードに記されている会員番号の申込用紙への転記などの作業を行っているので、登録を行う利用者に対してその場で速やかにカードを手渡すことができず、後日、郵送などの手段により発行しており、両者にとって不都合が生じるという問題があった。
【０００６】
また、発行されるカードは、その損傷を防止するため、ラミネート保護を施しておくのが望ましい。しかしながら、ラミネート保護されたカードに氏名等を記入することは、その材質上、困難であり、記入できたとしても消えやすいという問題があった。氏名等をカードに記した後、ラミネートシールを接着することにより、この問題を回避することはできるが、カードと略同形のラミネートシールをずらさずに接着するのは困難であり、こうしたラミネートカードをその場で速やかに発行するのは非常に困難であるという問題があった。
【０００７】
本発明は、こうした問題に着目し、利用者情報の記入を行った利用者に対して、その場で速やかにカードを手渡すことができ、かつ、その際、氏名等を記したカードへのラミネートシールの接着を簡単に行い、ラミネートカードを発行することができる、カード発行用申込用紙及びラミネートカードを提供することを目的とする。
【課題を解決するための手段】
【０００８】
本発明のカード発行用申込用紙は、利用者情報を記入する欄を有する申込用紙と、申込用紙の所定位置に接着された擬似接着シートと、擬似接着シートと擬似接着したラミネートカードとを備えたカード発行用申込用紙であって、申込用紙及びラミネートカードに利用者を特定する識別情報を予め示しておくことを特徴とするものである。
【０００９】
また、本発明のラミネートカードは、利用者情報を記入する箇所を有するカードと、カードと略同形のラミネートシールと、ラミネートシールの利用者情報を記入する側への接着部分を覆った剥離紙とを備え、カードに利用者情報を記入した後、剥離紙を剥がしながらラミネートシールを接着することを特徴とするものである。
【発明の効果】
【００１０】
本発明のカード発行用申込用紙によれば、申込用紙及びラミネートカードを擬似接着しておき、これらに利用者を特定する識別情報を予め示しておくことにより、カード発行担当者は、申込用紙に利用者情報を記入してもらった後、擬似接着されたカードを簡単に剥がして、その場で速やかにカードを手渡すことができる。
【００１１】
また、本発明のラミネートカードによれば、ラミネートシールの利用者情報を記入する側への接着部分を剥離紙により覆っておくことにより、カード発行担当者は、氏名等を記入したカードへのラミネートシールの接着を簡単に行い、その場で速やかにラミネートカードを作成し、手渡すことができる。
【発明を実施するための最良の形態】
【００１２】
以下、本発明を実施するための最良の形態を説明する。なお、本発明は以下の実施例で説明する範囲に何ら限定されるものではなく、その範囲を逸脱しなければ、適宜に変更及び実施できるものである。
【実施例１】
【００１３】
以下、本発明の第１実施例について説明する。はじめにカード発行用申込用紙の各部位について説明する。図１及び図２に示すように、本実施例のカード発行用申込用紙１０は、利用者情報を記入する欄を印字した申込用紙１００、申込用紙１００の所定位置に接着された擬似接着シート２００、及び擬似接着シート２００と擬似接着したラミネートカード３００を備えている。
【００１４】
申込用紙１００には、利用者本人の氏名、住所、電話番号、E-mailアドレス、生年月日等の必要事項を記入する欄１１０が印字されており、また、この他に数字や文字などを組み合わせた会員番号１２０を印字、あるいは会員番号がエンコードされたバーコード１３０を印刷している。
【００１５】
擬似接着シート２００は、粘着部２１０、及び粘着部２１０に積層された擬似接着部２２０を備えている。擬似接着部２２０に含まれる天然ゴムあるいはバインダ等が有する自着力により、擬似接着部２２０とラミネートカード３００を所定位置で接触させ、これに圧力を加えることにより、擬似接着させている（図４（ａ）参照）。擬似接着シート２００と擬似接着したラミネートカード３００は簡単に剥がすことができ、申込用紙１００から分離できるようになっている。
【００１６】
図３に示すように、ラミネートカード３００には、数字や文字などを組み合わせた会員番号３２０を印字、あるいは会員番号がエンコードされたバーコード３３０を印刷しており、これにより施設側は利用者を特定することができる。ラミネートカード３００は、利用者情報を記入する側３１１を有するカード３１０、カード３１０と略同形のラミネートシール３５０，３６０（図４参照）、ラミネートシール３５０の利用者情報を記入する側への接着部分を覆った剥離紙３４０を備えている。
【００１７】
カード３１０は、その材質は、ポリエステルなどの合成樹脂製、または厚紙により作製されるのが望ましい。また、その大きさは、車の免許証ほどの大きさのものであり、カード入れや財布（図示しない）に収納できるほどの大きさが望ましい。
【００１８】
ラミネートシール３５０，３６０は粘着部３５１，３６１を有しており、これによりカード３１０に接着している。ラミネートシール３５０はカード３１０の表面をラミネート保護するものであり、ラミネートカード３００が発行されるまでは、利用者情報を記入しない側３１２だけ粘着部３５１で接着しており、利用者情報を記入する側３１１は剥離紙３４０により粘着部３５１は覆われて、接着していない。一方、ラミネートシール３６０はカード３１０の裏面をラミネート保護するものであり、裏面全体を粘着部３６１で接着している。また、ラミネートシール３６０の他方面３６２は、擬似接着シート２００の擬似接着部２２０と擬似接着している。なお、ラミネートシール３５０，３６０はポリプロピレン、ポリ塩化ビニル、ポリエチレンテレフタレート、ポリエチレン等を用いるのが望ましい。
【００１９】
剥離紙３４０は、ラミネートシール３５０の粘着部３５１と接触する面にシリコン加工を施しており、粘着部３５１から容易に剥がせるようになっている。
【００２０】
以下、図１乃至図４を参照してカード発行用申込用紙１０の使用例を説明する。はじめに、施設や店舗側は、予め申込用紙１００及びラミネートカード３００を、擬似接着シート２００を介して擬似接着したカード発行用申込用紙１０を用意している（図１参照）。入会を希望する利用者は、カード発行用申込用紙１０をカード発行担当者から渡されると、申込用紙１００の記入欄１１０に利用者本人の氏名、住所、電話番号、E-mailアドレス、生年月日等の必要事項を記入する（図２、図４（ａ）参照）。
【００２１】
必要事項が記入された申込用紙１００を受け取ったカード発行担当者は、申込用紙１００に擬似接着されているラミネートカード３００を剥がして分離する（図２、図３（ａ）、図４（ｂ）参照）。ラミネートカード３００の利用者情報を記入する側３１１はラミネート保護されておらず、カード３１０の表面は露出した状態になっている。
【００２２】
つづいて、カード発行担当者は、この箇所に利用者の氏名等の利用者情報を記入した後（図３（ｂ）、図４（ｃ）参照）、剥離紙３４０を剥がしながら、粘着部３５１をカード３１０に接着していき（図４（ｄ）参照）、ラミネートシール３５０をカード３１０の表面全体に接着する（図３（ｃ）、図４（ｅ）参照）。ラミネートシール３５０の粘着部３５１は利用者情報を記入しない側３１２には既に接着されており、かつ、この位置決めが正確にされているので、剥離紙３４０を剥がしていくと、粘着部３５１はカード３１０からずれずに、正確に接着される。すなわち、利用者の氏名等の利用者情報を記入したカード３１０へのラミネートシールの接着を簡単に行うことができ、カード３１０の損傷を防止するとともに、カード３１０上に記入した氏名等が消えるのを防止することもできる。
【００２３】
そして、カード発行担当者は作成したラミネートカード３００を利用者に手渡した後、申込用紙１００に記入された利用者情報を端末上で記録しておく。以上により、本実施例のカード発行用申込用紙１０を使用し、ラミネートカード３００を発行するまでの作業は終了する。
【００２４】
以後、利用者は手渡されたラミネートカード３００を施設や店舗で提示し、施設側の担当者はラミネートカード３００に印刷されている会員番号１２０、あるいは、バーコード１３０を読み取って、これを端末上で検索することにより利用者を特定することができ、特定された利用者は施設や店舗側が提供するサービスを利用することができる。
【００２５】
以上、本実施例によれば、申込用紙及びラミネートカードを擬似接着しておき、これらに利用者を特定する識別情報を予め示しておくことにより、カード発行担当者は、申込用紙に利用者情報を記入してもらった後、擬似接着されたカードを簡単に剥がして、その場で速やかにカードを手渡すことができる。
【００２６】
また、本実施例によれば、ラミネートシールの利用者情報を記入する側への接着部分を剥離紙により覆っておき、一方、ラミネートシールの利用者情報を記入する側へはラミネート保護を施して正確な位置決めをしておくことにより、ラミネートシールを剥がしていくだけで残りのラミネート保護を簡単に施すことができ、その場で速やかにラミネートカードを作成して手渡すことができる。
【００２７】
なお、本実施例では申込用紙１００に示した識別情報１２０及びラミネートカード３００に示した識別情報３２０を同一にしているが、識別情報をキーにして利用者を特定できる識別情報であれば、これに限定しなくても良い。
【００２８】
また、本実施例では、ラミネートカード１０のカード３１０上に識別情報を示しているが、ラミネートシール３５０上に示しても良い。
【００２９】
さらに、本実施例では、会員番号をエンコードしたバーコード３３０を印刷しているが、何らかの手段で識別情報を埋め込み、何らかの手段でこれを読み取ることができれば、これに限定しなくても良い。例えば、ＲＦＩＤ（radio frequency identification）チップをカード３１０内に埋め込むようにしても良い。
【００３０】
また、図５に示すように、カード３１０上の利用者情報を記入する側に写真を載置する写真載置部３１３を備え、この箇所に利用者の写真４００を載置するようにしても良い。この場合も、利用者の写真４００を載置した後（図４（ｃ）参照）、剥離紙３４０を剥がしながら、粘着部３５１をカード３１０に接着していき（図４（ｄ）、図５（ｂ）参照）、ラミネートシール３５０をカード３１０の表面全体に貼り付けることにより作成される。（図４（ｅ）、図５（ｃ）参照）。剥離紙３４０を剥がしていった場合、載置した写真４００がラミネートシールの粘着部３５１に接着するので、接着剤などを用いなくても、写真付のラミネートカード３００を簡単に作成することができ、カードや写真の損傷を防止するとともに、写真がずれるのを防止することができる。
【産業上の利用可能性】
【００３１】
本発明のカード発行用申込用紙及びラミネートカードは、公共施設、商業施設、あるいはこれらの店舗などの産業分野で利用できるものである。例えば、スポーツジムやレンタルビデオショップ等のメンバーズカード、あるいは図書館の貸し出しカードなどの利用者登録を行ってカードを発行する分野以外にも、学生証や社員証、あるいは建築現場の立ち入り許可カードなど利用者認証を行うために発行するカードとしても使用することができ、様々な産業分野で利用可能である。
【図面の簡単な説明】
【００３２】
【図１】本発明の一実施例で用いるカード発行用申込用紙を示す平面図
【図２】申込用紙に必要事項を記入した状態を示すカード発行用申込用紙の平面図
【図３】本発明の一実施例で用いるラミネートカードを示す平面図
【図４】本発明の一実施例で用いるカード発行用申込用紙を使用する工程を示す図
【図５】本発明の一実施例で用いる写真付のラミネートカードを示す平面図
【符号の説明】
【００３３】
１０  カード発行用申込用紙
１００  申込用紙
１２０  会員番号（識別情報）
１３０  バーコード（識別情報）
２００  擬似接着シート
３００  ラミネートカード
３１０  カード
３１１  利用者情報を記入する側
３１２  利用者情報を記入しない側
３４０  剥離紙
３５０，３６０  ラミネートシール
【図１】
2006334918.tif 000003
【図２】
2006334918.tif 000004
【図３】
2006334918.tif 000005
【図４】
2006334918.tif 000006
【図５】
2006334918.tif 000007